(57)【要約】【課題】  揮発させた香り成分を良好に拡散させることができる加湿器を提供すること。【解決手段】  加湿器本体２内の蒸発手段６によって水を気化させ、この蒸発手段６で気化された水蒸気を、蒸気通路を構成する筒状体７で導き、この筒状体７によって導かれた水蒸気流Ｓを蒸気排出口７Ａから前記加湿器本体２外に排出させる加湿器１であって、前記蒸気排出口７Ａに着脱自在に取り付けられる皿２２に香料等を入れると共に、フラップ２６によって水蒸気流Ｓを前記皿２２の上部空間に導くことで、前記皿２２上の香料等から揮発した芳香成分を水蒸気流Ｓに乗せて、水分と共に芳香を前記加湿器１が使用される空間内に良好に拡散させることができる。【選択図】図２
2006329487.tif 000002
【特許請求の範囲】
【請求項１】
加湿器本体と、この加湿器本体内に設けられて水を気化させる蒸発手段と、この蒸発手段内で気化された水蒸気を導く蒸気通路と、この蒸気通路によって導かれた水蒸気流を前記加湿器本体外に排出させる蒸気排出口とを有する加湿器において、前記蒸気排出口に皿を着脱自在に取り付けると共に、前記蒸気通路を通って蒸気排出口から排出される水蒸気流を前記皿の上部空間に導くためのフラップを設けたことを特徴とする加湿器。
【請求項２】
前記皿とフラップとが一体的に構成されていることを特徴とする請求項１記載の加湿器。
【請求項３】
前記フラップが前記蒸気排出口に起倒可能に取り付けられていることを特徴とする請求項１記載の加湿器。
【請求項４】
前記フラップの傾きが調節自在であることを特徴とする請求項１乃至３記載の加湿器。
【発明の詳細な説明】
【技術分野】
【０００１】
本発明は、加湿器に関するものであり、特に、放出される水蒸気流に芳香を付与させることができる加湿器に関するものである。
【背景技術】
【０００２】
従来、この種の加湿器としては、例えば、蒸発皿（本発明の蒸発手段に該当する）の水をヒータ（本発明の蒸発手段に該当する）にて加熱して発生させた蒸気Ｓを、蒸気通路１０１を介して本体（本発明の加湿器本体に該当する）の外部に発散させて加湿するものにおいて、蒸気口１０２（本発明の蒸気排出口に該当する）にアロマ液を入れるアロマ容器１０３（本発明の皿に該当する）を設置し、発生した蒸気Ｓを前記アロマ容器１０３に接触させて加熱させるようにすると共に、接触後の蒸気Ｓをアロマ容器１０３内のアロマ液から揮発するアロマ成分と混合させて拡散させるようにしたものが知られている（例えば、特許文献１参照。）。そして、このような加湿器を使用することで、この加湿器が使用される空間に水分と共に香りを供給することができる。
【特許文献１】特開平１１−１７８９０８号公報
【発明の開示】
【発明が解決しようとする課題】
【０００３】
しかしながら、このような加湿器においては、前記蒸気通路を経て前記蒸気口から放出される蒸気が前記アロマ容器の近傍を流れる際、図８に示すように、前記蒸気が前記アロマ容器の上部空間に殆ど流れ込まないので、揮発したアロマ成分が前記アロマ容器の上部空間に滞留してしまい、良好に拡散させることができないという問題があった。
【０００４】
本発明は以上の問題点を解決し、揮発させた香り成分を良好に拡散させることができる加湿器を提供することを目的とする。
【課題を解決するための手段】
【０００５】
本発明の請求項１に記載の加湿器は、加湿器本体と、この加湿器本体内に設けられて水を気化させる蒸発手段と、この蒸発手段内で気化された水蒸気を導く蒸気通路と、この蒸気通路によって導かれた水蒸気流を前記加湿器本体外に排出させる蒸気排出口とを有する加湿器において、前記蒸気排出口に皿を着脱自在に取り付けると共に、前記蒸気通路を通って蒸気排出口から排出される水蒸気流を前記皿の上部空間に導くためのフラップを設けたことを特徴とするものである。
【０００６】
また、本発明の請求項２に記載の加湿器は、請求項１において、前記皿とフラップとが一体的に構成されていることを特徴とするものである。
【０００７】
また、本発明の請求項３に記載の加湿器は、請求項１において、前記フラップが前記蒸気排出口に起倒可能に取り付けられていることを特徴とするものである。
【０００８】
更に、本発明の請求項４に記載の加湿器は、請求項１乃至３において、前記フラップの傾きが調節自在であることを特徴とするものである。
【発明の効果】
【０００９】
本発明の請求項１に記載の加湿器は、以上のように構成することにより、前記蒸発手段内の水が蒸発して水蒸気となり、この水蒸気流が前記蒸気通路を経て前記蒸気排出口から前記加湿器本体外に放出される際に、前記水蒸気流が前記フラップによって前記皿の上部空間に導かれることで、前記皿上の香料から揮発した芳香成分を前記水蒸気流に乗せて良好に拡散させることができる。
【００１０】
また、本発明の請求項２に記載の加湿器は、以上のように構成することにより、前記皿とフラップとを前記蒸気排出口から同時に着脱することができるので、前記皿を前記蒸気排出口から取り外す際に、前記皿を前記フラップに衝突させる等して香料を前記皿からこぼしてしまう等といった虞を減ずることができる。
【００１１】
また、本発明の請求項３に記載の加湿器は、以上のように構成することにより、前記皿を前記蒸気排出口から取り外す際に前記フラップを起こすことで、前記皿を前記フラップに衝突させる等して香料を前記皿からこぼしてしまう等といった虞を減ずることができる。
【００１２】
更に、本発明の請求項４に記載の加湿器は、以上のように構成することにより、前記皿の上部空間へ導かれる水蒸気流を調節することができるので、芳香成分の揮散を任意に調節することができる。
【発明を実施するための最良の形態】
【００１３】
以下、本発明の実施形態について、図１乃至図３に基づいて説明する。１は本発明の加湿器である。この加湿器１は、加湿器本体２と、蓋部材３と、前記加湿器本体２内に着脱自在に収容される水タンク４と、この水タンク４内の水を導く水路５と、前記加湿器本体２内に設けられると共に前記水路５によって導かれた水を蒸発させる蒸発手段６と、この蒸発手段６で発生した水蒸気を上方に導いて前記加湿器本体２の外に放出する蒸気通路を構成する筒状体７と、この筒状体７の蒸気排出口７Ａに設けられた皿部材８とを有して構成されている。前記加湿器本体２は上方に開口部２Ａが設けられており、この開口部２Ａに対して前記蓋部材３が開閉自在に取り付けられている。そして、前記加湿器本体２には、前記加湿器１を操作するための主スイッチ９及び操作部１０が設けられている。また、前記加湿器本体２には、この加湿器本体２内の熱を排出するための排熱口１１が設けられている。また、前記加湿器本体２には、前記水タンク４に対応して、この水タンク４内の水量を目視できるように、水位窓１２が形成されている。更に、前記加湿器本体２の下部には、前記加湿器１を立てるための複数の足１３が設けられている。また、前記蓋部材３には、前記筒状体７の蒸気排出口７Ａに対応して開口部３Ａが形成されており、この開口部３Ａから前記筒状体７の蒸気排出口７Ａが露出するように構成されている。
【００１４】
前記水タンク４は、透明又は半透明の合成樹脂によって形成されている。また、前記水タンク４の下部には口部４Ａが形成されており、この口部４Ａに対してキャップ部１４が着脱自在に取り付けられている。また、前記水タンク４の上部には、把持部４Ｂが形成されている。
【００１５】
前記水路５は、前記加湿器本体２の内部に、この加湿器本体２と一体的に形成されている。そして、前記水路５の一端側には、前記水タンク４のキャップ部１４が挿入される凹部５Ａが形成されており、この凹部５Ａに、前記キャップ部１４に設けられた図示しない止水弁機構を開くための突起部５Ｂが形成されている。また、前記水路５の他端側には貫通孔を有する取付部５Ｃが形成されており、この取付部５Ｃの下方に前記蒸発手段６が取り付けられている。この蒸発手段６は、金属によって器状に形成された蒸発容器１５と、この蒸発容器の側面に密着して設けられたヒータ１６とで構成されている。また、前記水路５の取付部５Ｃの上方には、前記筒状体７が着脱自在に載置されている。この筒状体７は、合成樹脂等によって略筒状に形成されていると共に、その上部に設けられた蒸気排出口７Ａの内側に、複数のフィン７Ｂが設けられている。
【００１６】
前記筒状体７の蒸気排出口７Ａに設けられたフィン７Ｂには、熱及び油脂や薬品等に強いポリプロピレン等の合成樹脂や陶磁器或いはガラス等で形成された前記皿部材８が着脱自在に取り付けられている。この皿部材８は、皿１７と、この皿１７の下部に一体的に設けられた保持部１８と、前記皿１７と一体的に設けられた接続腕部１９と、この接続腕部１９と一体的に設けられたフラップ２０とを有して構成されている。なお、ここでいう「一体的」とは、同一の部材によって一体に構成されているものばかりでなく、複数の独立した部材を組み合わせることで一つの部材（この場合は皿部材８）として構成されるものも含み、更には、一つの部材を構成する独立した部材同士が可動である組立体も含む。なお、このフラップ２０は、前記皿１７に対して離間して設けられており、この隙間を水蒸気流Ｓが通過可能に形成されている。そして、前記皿部材８は、前記保持部１８を前記フィン７Ｂに保持させることで、前記筒状体７の蒸気排出口７Ａに取り付けられる。また、前記皿部材８を前記筒状体７の蒸気排出口７Ａに取り付けた状態において、前記皿１７と前記蒸気排出口７Ａとの間に水蒸気流Ｓが通過するのに充分な隙間が形成される。更に、前記フラップ２０は、水蒸気流Ｓを前記皿１７の上部空間へ導くように、前記皿１７側に傾斜して形成されている。
【００１７】
次に、本実施形態の作用について説明する。なお、本例ではアロマオイルを用いる場合について述べるが、その他の液体状の香料、或いは固体状の香料を用いる場合も同様である。まず使用者は、前記加湿器１の蓋部材３を開き、加湿器本体２内に水が溜められた水タンク４を収容する。この時、前記水タンク４のキャップ部１４が前記水路５の凹部５Ａに挿入されると共に、前記突起部５Ｂによって前記キャップ部１４内の図示しない止水弁機構が開かれる。このため、前記水タンク４内の水は、前記キャップ部１４から前記水路５に流出し、前記取付部５Ｃに取り付けられた前記蒸発手段６の蒸発容器１５に溜められる。そして、使用者は前記蓋部材３によって前記加湿器本体２の開口部２Ａを閉じると共に、前記フィン７Ｂに前記保持部１８を保持させることで、前記筒状体７の蒸気排出口７Ａに前記皿部材８を取り付ける。なお、前記フラップ２０が前記皿１７と一体的に形成されていることで、前記皿部材８を前記筒状体７の蒸気排出口７Ａに取り付ける際に、前記フラップ２０ごと取り付けられることになる。そして、前記皿部材８の皿１７に水を注ぎ、この水に数滴のアロマオイルを滴下する。なお、予め前記皿部材８の皿１７に水を注ぎ、この水にアロマオイルを滴下しておくこともできる。この場合、前述したように、前記皿部材８が前記フラップ２０ごと前記筒状体７の蒸気排出口７Ａに取り付けられることで、前記皿１７を衝突させてしまう虞のある要素が少なくなるので、前記皿１７内の水やアロマオイル等をこぼしてしまう虞を減ずることができる。
【００１８】
そして、前記主スイッチ９をオンにして、前記操作部１０を操作することで、前記蒸発手段６のヒータ１６が通電し、前記蒸発容器１５に溜められた水が加熱される。そして、前記蒸発容器１５内の水が加熱されて水蒸気が発生すると、この水蒸気が水蒸気流Ｓとなって前記筒状体７を上昇し、前記蒸気排出口７Ａから前記加湿器本体２の外部に放出される。この際、前記皿部材８、ひいてはこの皿部材８の皿１７に溜められた香料等が、高温の水蒸気流Ｓによって加熱されることで揮発する。これによって、前記加湿器１を使用している空間に、水分と共に香りを供給することができる。なお、水蒸気流Ｓが、前記皿１７とフラップ２０との間の隙間を通った後、前記フラップ２０によって前記皿１７の上部空間に導かれることで、前記皿１７の上部空間にある気化した香料を滞留させず、水蒸気流Ｓに乗せて、前記加湿器１を使用している空間に効率的に拡散させることができる。
【００１９】
そして、前記加湿器１を使い終えた際、前記皿部材８を前記筒状体７の蒸気排出口７Ａから取り外す。この時、前記皿部材８を持ち上げるだけで、前記保持部１８が前記フィン７Ｂから外れるので、前記皿部材８を前記筒状体７の蒸気排出口７Ａから容易に取り外すことができる。また、前記フラップ２０が前記皿１７と一体的に形成されていることで、前記皿部材８を前記筒状体７の蒸気排出口７Ａから取り外す際に、前記フラップ２０ごと取り外されることになる。このため、前記皿部材８を取り外す際に、前記皿１７を衝突させてしまう虞のある要素が少なくなるので、前記皿１７内に少量の水やアロマオイル等が残っていたとしても、これらをこぼしてしまう虞を減ずることができる。また、前記フラップ２０にアロマオイル等が付着したとしても、前記フラップ２０が前記皿１７ごと前記筒状体７の蒸気排出口７Ａから取り外されるので、前記皿１７ごと前記フラップ２０を容易に洗浄することができる。
【００２０】
以上のように本発明は、加湿器本体２内の蒸発手段６によって水を気化させ、この蒸発手段６で気化された水蒸気を、蒸気通路を構成する筒状体７で導き、この筒状体７によって導かれた水蒸気流Ｓを蒸気排出口７Ａから前記加湿器本体２外に排出させる加湿器１であって、前記蒸気排出口７Ａに着脱自在に取り付けられる皿１７に香料等を入れると共に、フラップ２０によって水蒸気流Ｓを前記皿１７の上部空間に導くことで、前記皿１７上の香料等から揮発した芳香成分を水蒸気流Ｓに乗せて、水分と共に芳香を前記加湿器１が使用される空間内に良好に拡散させることができるものである。また本発明は、前記皿１７とフラップ２０とを一体に形成して皿部材８とすることで、前記皿１７とフラップ２０とを前記蒸気排出口７Ａから同時に着脱することができるので、前記皿１７を前記蒸気排出口７Ａから取り外す際に、前記皿１７を前記フラップ２０に衝突させる等して香料を前記皿１７からこぼしてしまう等といった虞を減ずることができるものである。
【００２１】
次に、本発明の第二の実施形態について、図４及び図５に基づいて説明する。なお、上記第一の実施形態と共通する部分については共通の符号を付し、その説明を省略する。蒸気通路を構成する筒状体７の蒸気排出口７Ａに設けられたフィン７Ｂには、熱及び油脂や薬品等に強いポリプロピレン等の合成樹脂や陶磁器或いはガラス等で形成された皿部材２１が着脱自在に取り付けられている。この皿部材２１は、皿２２と、この皿２２の下部に一体的に設けられた保持部２３と、前記皿２２と一体的に設けられた接続腕部２４と、この接続腕部２４に対して揺動軸２５回りに揺動可能に枢支されたフラップ２６とを有して構成されている。なお、前記接続腕部２４には、前記フラップ２６の傾きを制限するための傾動ストッパー２７が設けられていると共に、摩擦によって前記フラップ２６を任意の角度に保持させるための摩擦部材２８が設けられている。また、前記接続腕部２４は、前記皿２１に対して離間して設けられており、この隙間を水蒸気流Ｓが通過可能に形成されている。そして、前記皿部材２１は、前記保持部２３を前記フィン７Ｂに保持させることで、前記筒状体７の蒸気排出口７Ａに取り付けられる。また、前記皿部材２１を前記筒状体７の蒸気排出口７Ａに取り付けた状態において、前記皿２２と前記蒸気排出口７Ａとの間に水蒸気流Ｓが通過するのに充分な隙間が形成される。
【００２２】
次に、本実施形態の作用について説明する。使用者は、前記フィン７Ｂに前記保持部２３を保持させることで、蒸気通路を構成する前記筒状体７の蒸気排出口７Ａに前記皿部材２１を取り付けると共に、前記揺動軸２５回りに前記フラップ２６を揺動させることで、このフラップ２６の傾斜角度を調節する。なお、前記フラップ２６が前記揺動軸２５回りに揺動可能な状態で前記接続腕部２４に枢支されることで、前記皿２２とフラップ２６とが一体的に構成されているので、前記皿部材２１を前記筒状体７の蒸気排出口７Ａに取り付ける際に、前記フラップ２６ごと取り付けられることになる。（なお、前述したように、この場合の「一体的」は、一つの部材を構成する独立した部材同士が可動である組立体も含む。）そして、前記皿部材２１の皿２２に水を注ぎ、この水に数滴のアロマオイルを滴下する。なお、予め前記皿部材２１の皿２２に水を注ぎ、この水にアロマオイルを滴下しておくこともできる。この場合、前述したように、前記皿部材２１が前記フラップ２６ごと前記筒状体７の蒸気排出口７Ａに取り付けられることで、前記皿２２を衝突させてしまう虞のある要素が少なくなるので、前記皿２２内の水やアロマオイル等をこぼしてしまう虞を減ずることができる。
【００２３】
そして、前記主スイッチ９をオンにして、前記操作部１０を操作することで、前記蒸発手段６のヒータ１６が通電し、前記蒸発容器１５に溜められた水が加熱される。そして、前記蒸発容器１５内の水が加熱されて水蒸気が発生すると、この水蒸気が水蒸気流Ｓとなって前記筒状体７を上昇し、前記蒸気排出口７Ａから前記加湿器本体２の外部に放出される。この際、前記皿部材２１、ひいてはこの皿部材２１の皿２２に溜められた香料等が、高温の水蒸気流Ｓによって加熱されることで揮発する。これによって、前記加湿器１を使用している空間に、水分と共に香りを供給することができる。なお、水蒸気流Ｓが、前記皿２２と接続腕部２４との間の隙間を通った後、傾斜角度が調節された前記フラップ２６によって前記皿２２の上部空間に導かれることで、前記皿２２の上部空間にある気化した香料を滞留させず、水蒸気流Ｓに乗せて、前記加湿器１を使用している空間に効率的に拡散させることができる。また、前記フラップ２６の傾斜角度を調節することで、気化した香料の拡散の度合いを調節することができる。則ち、図４に示すように、前記フラップ２６の垂直に対する傾斜角度が大きい状態では、水蒸気流Ｓが充分に前記皿２２の上部空間に導かれるので、香りの拡散は強いものになる。一方、図５に示すように、前記フラップ２６が垂直か或いは前記フラップ２６の垂直に対する傾斜角度が小さい状態では、水蒸気流Ｓが殆ど前記皿２２の上部空間に導かれないので、香りの拡散は弱いものになる。
【００２４】
そして、前記加湿器１を使い終えた際、前記皿部材２１を前記筒状体７の蒸気排出口７Ａから取り外す。この時、前記皿部材２１を持ち上げるだけで、前記保持部２３が前記フィン７Ｂから外れるので、前記皿部材２１を前記筒状体７の蒸気排出口７Ａから容易に取り外すことができる。また、前記フラップ２６が前記皿２２と一体的に構成されていることで、前記皿部材２１を前記筒状体７の蒸気排出口７Ａから取り外す際に、前記フラップ２６ごと取り外されることになる。このため、前記皿部材２１を取り外す際に、前記皿２２を衝突させてしまう虞のある要素が少なくなるので、前記皿２２内に少量の水やアロマオイル等が残っていたとしても、これらをこぼしてしまう虞を減ずることができる。また、前記フラップ２６にアロマオイル等が付着したとしても、前記フラップ２６が前記皿２２ごと前記筒状体７の蒸気排出口７Ａから取り外されるので、前記皿２２ごと前記フラップ２６を容易に洗浄することができる。
【００２５】
以上のように本発明は、加湿器本体２内の蒸発手段６によって水を気化させ、この蒸発手段６で気化された水蒸気を、蒸気通路を構成する筒状体７で導き、この筒状体７によって導かれた水蒸気流Ｓを蒸気排出口７Ａから前記加湿器本体２外に排出させる加湿器１であって、前記蒸気排出口７Ａに着脱自在に取り付けられる皿２２に香料等を入れると共に、フラップ２６によって水蒸気流Ｓを前記皿２２の上部空間に導くことで、前記皿２２上の香料等から揮発した芳香成分を水蒸気流Ｓに乗せて、水分と共に芳香を前記加湿器１が使用される空間内に良好に拡散させることができるものである。また本発明は、前記皿２２とフラップ２６とを一体的に構成して皿部材２１とすることで、前記皿２２とフラップ２６とを前記蒸気排出口７Ａから同時に着脱することができるので、前記皿２２を前記蒸気排出口７Ａから取り外す際に、前記皿２２を前記フラップ２６に衝突させる等して香料を前記皿２２からこぼしてしまう等といった虞を減ずることができるものである。更に本発明は、前記フラップ２６の傾きが調節自在であることで、前記皿２２の上部空間へ導かれる水蒸気流Ｓを調節することができるので、芳香成分の揮散を任意に調節することができるものである。
【００２６】
次に、本発明の第三の実施形態について、図６及び図７に基づいて説明する。なお、上記各実施形態と共通する部分については同一の符号を付し、その説明を省略する。前記加湿器３１の蒸気通路を構成する筒状体３２は、合成樹脂等によって略筒状に形成されており、その上部に設けられた蒸気排出口３２Ａの内側に、複数のフィン３２Ｂが設けられていると共に、上方に突出した支持部３２Ｃが形成されている。そして、この支持部３２Ｃには、揺動軸３３回りに揺動可能にフラップ３４が枢支されている。なお、前記支持部３２Ｃには、前記フラップ３４の傾きを制限するための傾動ストッパー３５が設けられていると共に、摩擦によって前記フラップ３４を任意の角度に保持させるための摩擦部材３６が設けられている。
【００２７】
前記筒状体３２の蒸気排出口３２Ａに設けられたフィン３２Ｂには、熱及び油脂や薬品等に強いポリプロピレン等の合成樹脂や陶磁器或いはガラス等で形成された前記皿部材３７が着脱自在に取り付けられている。この皿部材３７は、皿３８と、この皿３８の下部に一体的に設けられた保持部３９とで形成されている。なお、前記皿３８は、前記支持部３２Ｃ及びフラップ３４に対して離間して設けられており、この隙間を水蒸気流Ｓが通過可能に形成されている。そして、前記皿部材３７は、前記保持部３９を前記フィン３２Ｂに保持させることで、前記筒状体３２の蒸気排出口３２Ａに取り付けられる。また、前記皿部材３７を前記筒状体３２の蒸気排出口３２Ａに取り付けた状態において、前記皿３８と前記蒸気排出口３２Ａとの間に水蒸気流Ｓが通過するのに充分な隙間が形成される。
【００２８】
次に、本実施形態の作用について説明する。使用者は、前記揺動軸３３回りに前記フラップ３４を揺動させて、このフラップ３４を立てた後、前記フィン３２Ｂに前記保持部３９を保持させることで、蒸気通路を構成する前記筒状体３２の蒸気排出口３２Ａに前記皿部材３７を取り付ける。そして、前記皿部材３７の皿３８に水を注ぎ、この水に数滴のアロマオイルを滴下する。更に、前記揺動軸３３回りに前記フラップ３４を揺動させて、このフラップ３４を前記皿部材３７側に傾斜可能な範囲内で任意の角度に傾ける。なお、予め前記皿部材３７の皿３８に水を注ぎ、この水にアロマオイルを滴下しておくこともできる。この場合、前述したように、前記フラップ３４を図７に示すように略垂直に立てるか、或いは前記皿部材３７とは反対側に傾斜させることで、前記皿３８を前記フラップ３４に衝突させて前記皿３８内の水やアロマオイル等をこぼしてしまう虞を減ずることができる。
【００２９】
そして、前記主スイッチ９をオンにして、前記操作部１０を操作することで、前記蒸発手段６のヒータ１６が通電し、前記蒸発容器１５に溜められた水が加熱される。そして、前記蒸発容器１５内の水が加熱されて水蒸気が発生すると、この水蒸気が水蒸気流Ｓとなって前記筒状体３２を上昇し、前記蒸気排出口３２Ａから前記加湿器本体２の外部に放出される。この際、前記皿部材３７、ひいてはこの皿部材３７の皿３８に溜められた香料等が、高温の水蒸気流Ｓによって加熱されることで揮発する。これによって、前記加湿器３１を使用している空間に、水分と共に香りを供給することができる。なお、水蒸気流Ｓが、前記皿３８と支持部３２Ｃとの間の隙間を通った後、傾斜角度が調節された前記フラップ３４によって前記皿３８の上部空間に導かれることで、前記皿３８の上部空間にある気化した香料を滞留させず、水蒸気流Ｓに乗せて、前記加湿器３１を使用している空間に効率的に拡散させることができる。また、前記フラップ３４の傾斜角度を調節することで、気化した香料の拡散の度合いを調節することができる。則ち、図６に示すように、前記フラップ３４の垂直に対する傾斜角度が大きい状態では、水蒸気流Ｓが充分に前記皿３８の上部空間に導かれるので、香りの拡散は強いものになる。一方、図７に示すように、前記フラップ３４が垂直か或いは前記フラップ３４の垂直に対する傾斜角度が小さい状態では、水蒸気流Ｓが殆ど前記皿３８の上部空間に導かれないので、香りの拡散は弱いものになる。
【００３０】
そして、前記加湿器３１を使い終えた際、前記皿部材３７を前記筒状体３２の蒸気排出口３２Ａから取り外す。この時、前記皿部材３７を持ち上げるだけで、前記保持部３９が前記フィン３２Ｂから外れるので、前記皿部材３７を前記筒状体３２の蒸気排出口３２Ａから容易に取り外すことができる。また、図７に示すように、前記フラップ３４を略垂直に立てるか、或いは前記皿部材３７とは反対側に傾斜させることで、前記皿部材３７を前記筒状体３２の蒸気排出口３２Ａから取り外す際に、前記皿３８を前記フラップ３４に衝突させる虞が少なくなるので、前記皿３８内に少量の水やアロマオイル等が残っていたとしても、これらをこぼしてしまう虞を減ずることができる。
【００３１】
以上のように本発明は、加湿器本体２内の蒸発手段６によって水を気化させ、この蒸発手段６で気化された水蒸気を、蒸気通路を構成する筒状体３２で導き、この筒状体３２によって導かれた水蒸気流Ｓを蒸気排出口３２Ａから前記加湿器本体２外に排出させる加湿器３１であって、前記蒸気排出口３２Ａに着脱自在に取り付けられる皿３８に香料等を入れると共に、フラップ３４によって水蒸気流Ｓを前記皿３８の上部空間に導くことで、前記皿３８上の香料等から揮発した芳香成分を水蒸気流Ｓに乗せて、水分と共に芳香を前記加湿器３１が使用される空間内に良好に拡散させることができるものである。また本発明は、前記フラップ３４を前記蒸気排出口３２Ａに起倒可能に取り付けることで、前記皿３８を前記蒸気排出口３２Ａから取り外す際に前記フラップ３４を起こすことで、前記皿３８を前記フラップ３４に衝突させる等して香料を前記皿３８からこぼしてしまう等といった虞を減ずることができるものである。更に本発明は、前記フラップ３４の傾きが調節自在であることで、前記皿３８の上部空間へ導かれる水蒸気流Ｓを調節することができるので、芳香成分の揮散を任意に調節することができるものである。
【００３２】
なお、本発明は以上の実施形態に限定されるものではなく、発明の要旨の範囲内で種々の変形が可能である。例えば、フラップの形状、傾斜角度、或いは傾斜角度の調節機構などを適宜選択することができる。
【図面の簡単な説明】
【００３３】
【図１】本発明の第一の実施形態を示す加湿器の外観図である。
【図２】同上、縦断面図である。
【図３】同上、要部の拡大断面図である。
【図４】本発明の第二の実施形態を示す加湿器の要部の拡大断面図である。
【図５】同上、フラップを起こした状態の要部の拡大断面図である。
【図６】本発明の第三の実施形態を示す加湿器の要部の拡大断面図である。
【図７】同上、フラップを起こした状態の要部の拡大断面図である。
【図８】従来のこの種の加湿器を示す要部の拡大断面図である。
【符号の説明】
【００３４】
１，３１  加湿器
２  加湿器本体
６  蒸発手段
７，３２  筒状体（蒸気通路）
７Ａ，３２Ａ  上記排出口
８，２１，３７  皿部材
１７，２２，３８  皿
２０，２６，３４  フラップ
Ｓ  蒸気流
【図１】
2006329487.tif 000003
【図２】
2006329487.tif 000004
【図３】
2006329487.tif 000005
【図４】
2006329487.tif 000006
【図５】
2006329487.tif 000007
【図６】
2006329487.tif 000008
【図７】
2006329487.tif 000009
【図８】
2006329487.tif 000010